(57)【要約】   アレルゲンに対応する音によって、アレルゲンあるいは物質に対するネガティブな反応を最終的に解消するように患者の生体を訓練する方法。さらに、患者を実際の物質に曝すことに代えて、音を用いて患者のアレルギー症を同定する。また、指圧療法を音と併用して、患者を実際のアレルギー物質に曝すこと無く、アレルゲンにポジティブに反応するように身体を訓練する。【選択図】図１
2010540040.tif 000002
【特許請求の範囲】
【請求項１】
患者の生体を訓練する方法において：
スピーカを患者の近傍に設置するステップと；
前記スピーカから患者の身体に向けて一連の音を伝送するステップであって、当該一連の音の各音は、対応するアレルゲンに合致しているものであるステップと；
患者の筋力をモニタし、テストするステップと；
前記一連の音の中の筋力の低下を招いた各音に合致した対応するアレルゲンを記録するステップと；
を具えることを特徴とする方法。
【請求項２】
請求項１に記載の方法が更に、前記一連の音の中の筋力の低下を招いた各音を、患者の身体に向けて更に伝送するステップを具えることを特徴とする方法。
【請求項３】
請求項２に記載の方法が更に、前記一連の音の中の筋力の低下を招いた各音を更に伝送しながら、経穴を加圧するステップを具えることを特徴とする方法。
【請求項４】
請求項１に記載の方法が更に、前記スピーカを患者の身体に向けるステップを具えることを特徴とする方法。
【請求項５】
請求項１に記載の方法が更に、前記一連の音の各音をデジタルフォーマットに変換するステップを具えることを特徴とする方法。
【請求項６】
請求項１に記載の方法が更に、前記一連の音の各音を暗号化するステップを具えることを特徴とする方法。
【請求項７】
請求項１に記載の方法が更に、前記一連の音の各音を対応するアレルゲンと共にデータベースに登録し、合致させるステップを具えることを特徴とする方法。
【請求項８】
請求項１に記載の方法が更に、前記スピーカをバンドの上に配置するステップであって、当該バンドが患者の四肢に取付けられるように構成されていることを特徴とする方法。
【請求項９】
請求項１に記載の方法が更に、前記一連の音の各音を分かりにくいフォーマットに変換するステップを具えることを特徴とする方法。
【請求項１０】
請求項３に記載の方法が更に、前記一連の音の中で筋力の低下を招いた各音を更に伝送しながら、指圧療法によって経穴を加圧するステップを具えることを特徴とする方法。
【請求項１１】
請求項２に記載の方法が更に、前記スピーカを患者の身体に向けるステップを具えることを特徴とする方法。
【請求項１２】
請求項２に記載の方法が更に、前記一連の音の各音をデジタルフォーマットに変換するステップを具えることを特徴とする方法。
【請求項１３】
請求項２に記載の方法が更に、前記一連の音の各音を暗号化するステップを具えることを特徴とする方法。
【請求項１４】
請求項２に記載の方法が更に、前記一連の音の各音を対応するアレルゲンと共にデータベースに登録し、合致させるステップを具えることを特徴とする方法。
【請求項１５】
請求項２に記載の方法が更に、前記スピーカをバンドの上に配置するステップであって、当該バンドが患者の四肢に取付けられるように構成されていることを特徴とする方法。
【請求項１６】
請求項２に記載の方法が更に、前記一連の音の各音を分かりにくいフォーマットに変換するステップを具えることを特徴とする方法。
【請求項１７】
患者の生体の訓練方法において：
スピーカを患者の近傍に設置するステップと；
当該スピーカからの音を患者の身体に向けて伝送するステップであって、当該音が対応するアレルゲンに合致しているステップと；
前記スピーカから音を伝送しながら、指圧療法によって経穴を加圧するステップと；
を具えることを特徴とする方法。
【請求項１８】
患者の生体の訓練方法において：
スピーカを患者の近傍に設置するステップと；
当該スピーカから患者の身体に向けて一連の音を伝送するステップであって、当該一連の音の各音が対応するアレルゲンに合致しているステップと；
患者の筋力をモニタし、テストするステップと；
前記一連の音の中の筋力の低下を招いた各音と合致する対応するアレルゲンを記録するステップと；
前記一連の音の中の筋力の低下を招いた各音を患者の身体に向けて更に伝送するステップと；
前記一連の音の中の筋力の低下を招いた各音を更に伝送しながら、指圧療法によって経穴を加圧するステップと；
前記スピーカを患者の身体に向けるステップと；
前記一連の音の各音をデジタルフォーマットに変換するステップと；
前記一連の音の各音を暗号化するステップと；
前記一連の音の各音を、対応するアレルゲンと共にデータベースに登録し、合致させるステップと；
前記スピーカをバンドに設置するステップであって、当該スピーカが患者の四肢に取付けられるステップと；
前記一連の音の各音を分かりにくいフォーマットに変換するステップと；
を具えていることを特徴とする方法。
【発明の詳細な説明】
【技術分野】
【０００１】
本出願は、２００７年９月２１日に出願された仮特許出願第６０／９７４，１９５号に基づく優先権を主張する。
【０００２】
本発明は、アレルゲンに対応する音によって、そのようなアレルゲンあるいは物質に対するネガティブな反応を最終的に解消するように、患者の生体を訓練する方法に関するものである。さらに、本発明の方法は、患者を実際の物質に曝すこととは対照的に、音を用いて患者のアレルギーを特定するのに役立つ。
【背景技術】
【０００３】
アレルギー症および過敏症は、無害で天然由来の物質に対して不適切に反応してしまう免疫システムの結果であり、これは事実上身体のあらゆる部分に影響を及ぼし得る。この身体的な反応は正常なものではない。アレルギー反応の影響は、穏やかな症状から極めて有害な反応にまで及び得る。過敏症は、別の異常な反応群である。これは、アレルギー症に似た症状を持つが、過敏症は免疫システムに関係がない。
【０００４】
微量のアレルギー性物質あるいは反応物質に皮膚表面を曝露すると、特定物質との接触によって体筋が即座に弱まるとことが観察されている。この微量で外的な曝露からその他の反応は生じないにもかかわらず、筋力低下は、何らかのアレルギー性物質あるいは反応物質への曝露に対する普遍的な生理反応であることが観察されている。本発明者は、身体がこの物質を「情報」として認識していて、この反応は当該情報の解釈に依拠しているとの結論を得た。身体がこの物質を有害なものとして認識すれば、それが直ちに生理的な反応を引き起こすことになる。身体がこれを無害なものとして認識すれば、生理的反応はなんら生じない。
【０００５】
本発明は、この現象を応用し、更に次の段階に進めるものである。生体記号論学ならびに情報理論学によれば、信号又は情報は、全ての生体システムにおいて分子レベルで読みとることが可能である。ヒトの生理機能は、もっぱら情報の信号に基づいて作用している。アレルギー症および過敏症の場合は、物質を知覚すると、身体がエラー状態あるいは過誤状態にある。同時にポジティブな刺激を取り込みながら患者を物質に曝すことによって、身体が、このポジティブな刺激を良性の物質と関連付けて、その認識を変えて当該物質は有益であると解釈する。
【０００６】
本発明者は、この物質のデジタルサンプルが皮膚表面に伝送されれば、身体があたかも実際の物質に曝されたかのように、同様のまたは同一の態様で反応することを発見した。また、この身体反応は潜在意識のレベルでコントロールされていること、その音は正常なヒトの可聴能力の範囲内にある必要がないこともわかった。このデジタル信号は、最初は、その物質をより具体的に表すことができる特定のワード配列を含むテキスト表現から生成される。このテキスト表現はオーディオ信号に変換され、それから物質を表わす特定のトーンに変換される。この非可聴トーンは、手首リストカフを介して皮膚の表に伝達される。
【発明の概要】
【０００７】
この発明の方法は、以下のとおりである。身体が不適切に反応している物質を表す非可聴音を身体に伝送する間に、漢方医学で知られているように、膀胱経絡上の経穴が背骨の両側で均一に押さえられる。これらの経穴は、すべての主要な器官系を一時的に強化するために用いられる。非可聴音への意識下での身体反応と背骨に沿った指圧療法との組合せは、その特定の物質もしくは「情報」に反応しないよう身体に教え込む。免疫システムのみではなく、全身がアレルゲンを危険な兆候であり過剰反応として知覚するというコンセプトが、この発明の基本である。
【０００８】
過敏症についても同じ現象である。公式にアレルギー症と呼ぶには、アレルギー反応が免疫システムを伴っていなければならないだけである。この関連が、身体にこの物質を危険な兆候ではなく有益なものと知覚させる。それは、アレルギー注射とほぼ同じであり、目的とするのは、身体をゆっくり慣れさせて、かなり希釈した量のアレルゲンを受け入れるようにすることである。時間が経過すると、身体が慣れて、アレルギー物質を受け付けるようになる。本発明はポジティブな刺激と一緒に曝露させることを導入しており、この物質を受け付けてアレルギー反応を解決するという遙かに速いプロセスを可能にする。
【０００９】
デジタル信号の伝送と併用される治療上の刺激は、身体を訓練して無害な物質を受け付けるようにする動作のメカニズムである。デジタル信号の伝送は、身体に対して何らの効果や治療上の価値は無いが、生理学的エラー状態で解決を可能とするのは、デジタル表示に暴露を伴う指圧療法の刺激のみである。
【００１０】
本発明者は、治療の成功が身体に伝送される情報の精度に依拠していることを発見した。それゆえ、データベースを用いて大量の物質を含めるようにして、これらの物質を成分毎に細分し、更に、その成分の構成要素を実際のタンパク分子に細分化している。この手法は、非常に精度の高い生物学的コミュニケーションを可能にする。
【００１１】
この出願の一部として提供されているものは、ヒトがアレルゲンとして反応することが有る多くの物質の一覧と、そのいくつかの成分であり、医師が特定のアレルゲンを見つけるために使うソフトウェアであり、患者の腕に巻いて、非可聴音を伝送するコンピュータシステムに接続されているカフの線図である。
【図面の簡単な説明】
【００１２】
【図１】図１は、本発明の好ましい実施例のステップの詳細を示すフローチャートである。
【発明を実施するための形態】
【００１３】
本発明は、初期にアレルギー症あるいは過敏症の反応を引き起こした特定のタンパク質あるいは刺激物を最終的に受け付けるように、身体の自然な生理反応を訓練するために、特定のアレルゲン及び／又は刺激反応性に関連する非可聴音を見つける方法である。例えば、本発明のデータベースは、猫の毛に関連する非可聴音を収載することができる。患者は、猫の毛アレルギーに関連する様々な非可聴音が皮膚表面に伝送されると、所定の方法で自分の腕を掴む。この患者は、この腕の位置を維持できなくなり、その筋肉が特定のアレルゲンを表す非可聴音のネガティブ効果に反応して弱くなる。このように、データベースを通じて、全アレルゲンのどれが問題なのか、並びに、そのようなアレルゲンまたは刺激物にどの非可聴音が対応しているのかが分かるようになる。そこで、この実施例においては、猫の毛を刺激物あるいはアレルゲンとして選び出すことができる。
【００１４】
筋の反応に基づいて身体にネガティブな影響が判定されると、苛立ちのより具体的な原因に焦点を合わせるために、様々な非可聴音が当てられる。これらの様々な非可聴音は、各々、様々なタンパク質またはその他の副次的レベルのアレルゲンに関連している。猫の毛の例では、このことは猫の毛に含まれる個々のタンパク質が異なる非可聴音を介して探索されることを意味する。このようなタンパク質は、唾液・フケその他のアイテムを含む。言い換えれば、様々な非可聴音で、筋反応を調べて、広く知られているアレルゲンあるいは刺激物のどの部分が患者に影響を及ぼしているのかを判定する。筋が様々な非可聴音の目的とする投射に反応したときに、この判定がなされる。
【００１５】
次いで、身体の特定の部位に対して指圧療法を施す。好ましい実施例においては、膀胱経絡上の背骨両側で経穴を均一に押す。これらの経穴は、すべての主要器官系の全てを一時的に強化するのに用いられる。その間に、刺激を起すと考えられる原因物質に特異的である、異なる非可聴音が身体に伝送される。この非可聴音に対する潜在意識下にある身体反応と、背骨に沿った指圧療法との組合せは、この特定の物質または「情報」に反応しないよう身体に教え込む。換言すると、身体の正の経穴を刺激すると同時に伝送されたアレルゲンまたは刺激物を表す様々な非可聴音が、最終的には、このアレルゲンまたは刺激物を、刺激のポジティブな利点に関連させるように、身体を訓練する。
【００１６】
図１に見られるように、本発明は以下のように進めることができる。先ず、スピーカを患者の近傍に設置する（１０）。患者をヒトともいうことができる点に留意されたい。一実施例においては、スピーカをリストバンドの下側に設置することができる。次いで、リストバンドは、そこで手首、脚、あるいは患者の四肢に巻きつけられる。スピーカは患者の身体に対向することになる。次いで、音が患者の身体に向かって伝送される（２０）。伝送されている音は、患者にとっての実際のアレルゲンもしくは反応度が高い物質が意味するものを表している。これは、その音が、文字通り、意味しているアレルゲンを同定しているワード群であり得ることを意味する。しかしながら、伝送されている音は患者にはわからない。なぜなら、好ましい実施例では、この音がデジタルフォーマットに変換されて（３０）、デジタルフォーマットで出射されるからである（４０）。さらなる実施例では、従来の手段によってこの音を暗号化することもできる（５０）。にもかかわらず、従来の代表的なワードは、人間の可聴帯域より低いかあるいは高いかのいずれかで、非可聴であるため、または、デジタル化と暗号化の手段を経て文字化けするため、伝送されている音は患者にとって理解できない。音が患者の身体に向けて伝送されている間（２０）、患者の筋力をモニタする（６０）。筋力のモニタリングは、抵抗力などのテストも兼ねている。患者の筋力は、音が伝送されている間は最適な状態が維持される。しかしながら、患者に広がっているアレルゲンまたは刺激物を表す音が身体に到達すると（７０）、患者の筋力は顕著に低下する（８０）。この筋力の喪失を、その特定の音と関連付けて記録する（９０）。この特定の音は、筋力の喪失を招いた特定のアレルゲンを同定する（１００）。特定の関連するアレルゲンあるいは刺激物を表す音が同定されて合致すると、その音を前回と全く同じ方法で患者の身体に向けて再度伝送する（１１０）。しかし、今回は、同定したアレルゲンを表す音を伝送している間、従来の指圧によって患者の身体の経穴を加圧する（１２０）。これが、身体的にポジティブなアレルゲンあるいは刺激物に起因するものであると患者の身体に教え込む効果を持ち、これが、患者の身体に対するアレルゲン影響の信憑性を下げる。
【００１７】
この発明の好ましい実施例は、患者の生体を訓練する方法であり、これはスピーカを患者の近傍に設置するステップと、当該スピーカからの一連の音を患者の身体に向けて伝送するステップと、この一連の音の各音は対応するアレルゲンに一致する音であり、患者の筋力をモニタリングしテストするステップと、筋力の低下を招いた一連の音の各音と合致する対応アレルゲンを記録するステップを具える。さらに、本発明は、筋力の低下を招いた一連の音の各音を患者の身体に向けて伝送するステップと、筋力の低下を招いた一連の音の各音をさらに伝送する間に、指圧療法を用いて経穴を押すステップを具える。
【００１８】
更に、一連の音の各音をデジタルフォーマットに変換し暗号化して、患者の身体にスピーカを向けることも、好ましい実施例の一部である。一連の音の各音とこれに対応するアレルゲンとをデータベースに登録し、マッチングさせることも想定されている。代替の実施例は、患者の四肢に取付けるように構成されたバンドにスピーカを設置するステップも含んでいる。一連の音の各音は、分かりにくいフォーマットに変換してもよい。
【図１】
2010540040.tif 000003
【国際調査報告】
2010540040.tif 000004